(57)【特許請求の範囲】
【請求項１】
建築物の躯体表面に、ディスク状の固定部材を介して接合固定することにより敷設された既設の防水シートを撤去する方法において、
下端に前記固定部材の外周より大きい環状の切断刃を有する切り抜き具を用い、各固定部材の周りで防水シートを環状に切り抜いたのち、この切り抜き部分を除いて防水シートを剥離除去することを特徴とする防水シートの撤去方法。
【請求項２】
前記切り抜き具の切断刃を、シートを接合した固定部材の周りに前記防水シートの上から配置し、前記切断刃に上方から衝撃荷重を加えることにより前記防水シートを切り抜く請求項１に記載の防水シートの撤去方法。
【請求項３】
前記切り抜き具の切断刃を、シートを接合した固定部材の周りに前記防水シートの上から配置し、前記切断刃に上方から押圧荷重を加えることにより前記防水シートを切り抜く請求項１に記載の防水シートの撤去方法。
【請求項４】
前記切り抜き具の切断刃を、シートを接合した固定部材の周りに前記防水シートの上から配置し、前記切断刃に上方から押圧荷重を加えながら回転させることにより前記防水シートを切り抜く請求項１に記載の防水シートの撤去方法。
【発明の詳細な説明】
【０００１】
【発明の属する技術分野】
本発明は、建築物の屋根、ベランダ等に敷設されている熱可塑性樹脂からなる既設の防水シートを撤去する方法に関する。
【０００２】
【従来の技術】
従来、熱可塑性樹脂からなる防水シートを、建築物の躯体表面に分散配置して固着設置された、ディスク状の合成樹脂被覆鋼板よりなる多数の固定部材の上面に接合することにより敷設する、いわゆる機械固定方法による防水シートの敷設工法が広く採用されている。
【０００３】
上記の敷設工法では、長期使用後に局部的に生じた破損や劣化の状態に合わせて補修や改修を行う場合を除き、対象となる建築物の防水シートを全面的に取り除き、新しい防水シートを敷設し直すことが可能であり、比較的容易に防水シートの全面改修を行うことができる。
【０００４】
上記の既設防水シートの全面改修においては、前記防水シートを、これが接合されている全ての固定部材から切り離す必要があり、従来はこの切り離し作業ににブレイドカッター等を用い、前記固定部材の周りで前記防水シートを切断することによってなされていた。
【０００５】
【発明が解決しようとする課題】
ところが、前記固定部材は、建築物の躯体に、通常、５００〜６００ｍｍの間隔で固着設置されているから、その個数は非常に多く、敷設面積の大きい建築物における防水シートの撤去作業では、前記の切り離し作業に多くの労力を要し、極めて非能率的であった。
【０００６】
また、長期間の使用によって劣化した防水シートは、柔軟性が失われて硬化しているから、ブレイドカッターによる切り抜きに余計な力を要し作業が面倒になるばかりでなく、ブレイドカッターの刃で作業者が怪我をしたり、また不用意に折れたり摩耗で切り難くなって折り取った刃が回収する防水シートに混在して、防水シートのリサイクルに不都合を生じるという問題がある。
【０００７】
本発明は、上記のような従来の問題点を解消し、効率がよく、安全であり、回収した防水シートのリサイクルに不都合のない、既設防水シートの撤去方法を提供することを目的とする。
【０００８】
【課題を解決するための手段】
本発明は、上記の目的を達成するためになされたものであって、建築物の躯体表面に、ディスク状の固定部材を介して接合固定することにより敷設された既設の防水シートを撤去する方法において、下端に前記固定部材の外周より大きい環状の切断刃を有する切り抜き具を用い、各固定部材の周りで防水シートを環状に切り抜いたのち、この切り抜き部分を除いて防水シートを剥離除去することを特徴とする防水シートの撤去方法を要旨とする。
【０００９】
本発明によれば、既設の防水シートを撤去する際に、前記切り抜き具を用いて、その環状の切断刃に直接手を触れることなく前記防水シートを固定部材の周りで切り抜いて、この切り抜き部分を除いて防水シートを剥離除去するのであるから、その撤去作業は従来よりも効率がよく、また従来のようにブレイドカッターを手に持って切り抜く方法に比べてより安全であり、さらに切断刃が摩耗してもブレイドカッターの刃のように現場で折り捨てられて回収する防水シートに混在するような不都合もない。
【００１０】
本発明の好ましい実施態様は、請求項２に記載のように、前記切り抜き具の切断刃を、シートを接合した固定部材の周りに前記防水シートの上から配置し、前記切断刃に上方から衝撃荷重を加えることにより前記防水シートを切り抜く方法である。この方法では、例えば木槌、金槌等の手に持って操作するハンマー類や、エアーハンマー等の機械的なハンマー類によって、前記切断刃に上方から衝撃荷重を加えるものである。この方法によれば瞬時に防水シートの切り抜きが完了し、切り抜き作業を効率的に行うことができる。
【００１１】
また、本発明の好ましい別の実施態様は、請求項３に記載のように、前記切り抜き具の切断刃を、シートを接合した固定部材の周りに前記防水シートの上から配置し、前記切断刃に上方から押圧荷重を加えることにより前記防水シートを切り抜く方法である。この方法では、例えば作業者の体重を掛けることにより前記切断刃に上方から押圧荷重を加えるものである。この方法によれば、比較的短時間に防水シートの切り抜きが完了し、切り抜き作業が効率的に行えると共に、衝撃音の発生がないから作業環境を良くすることができる。
【００１２】
さらに、本発明の好ましい別の実施態様は、請求項４に記載のように、前記切り抜き具の切断刃を、シートを接合した固定部材の周りに前記防水シートの上から配置し、前記切断刃に上方から押圧荷重を加えながら回転させることにより前記防水シートを切り抜く方法である。この方法によれば、上記衝撃荷重、押圧荷重を加える場合に比べ、防水シートの切り抜きに時間はやや長くなるが、防水シートの切り抜き完了を回転抵抗がなくなることにより作業者が感知できて、前記切断刃の切り抜き深さを制御することが可能となり、防水シートの下の断熱層や躯体を傷付けることがない。また、刃先の損傷も防止できる。
【００１３】
【発明の実施の形態】
以下、本発明の実施形態を、実施例を示す図面に従って説明する。
【００１４】
図１は、既設の防水シートの敷設状況を示す部分斜視図である。本発明の撤去の対象となる既設防水シート（６）は、機械固定方法に従って、固定部材（７）の上面に接合されている。前記固定部材（７）は、開脚釘等の取付具（８）によって通常はコンクリートからなる躯体（９）に固着設置されたディスク状の合成樹脂被覆鋼板からなり、上面の熱可塑性樹脂面に前記防水シート（６）が接着法または溶着法によって接合されている。
【００１５】
前記固定部材（７）は、防水シート（６）によって覆われているから、直接に目視することはできないが、通常は躯体（９）の表面または断熱工法による敷設の場合の断熱層（１０）の表面に、前記固定部材（７）の下面が面一となるように固着設置されているため、防水シート（６）が前記固定部材（７）の厚さ分だけ膨出しており、目視ないし指触等によって、その存在位置を確認できる状態になっている。
【００１６】
図２は、本発明による、既設の防水シートの撤去状態を示す部分断面図であり、ここで示す撤去用の切り抜き具（１）は、最も基本的な形態のものであって、下端に前記固定部材（７）の外周より大きい環状の切断刃（２）を有しており、上方に延設された胴部（３）とこれに続く天井部（４）とからなっている。
【００１７】
本発明により既設の防水シート（６）を撤去するには、まず前記防水シート（６）を前記切り抜き具（１）を用いて切り抜く。前記切り抜き具（１）による切り抜きは、切断刃（２）に対して矢印方向に前記天井部（４）へ衝撃荷重を加えるか、または押圧荷重を加えるか、もしくは押圧荷重を加えながら回転させることによって切断する。
【００１８】
まず、衝撃荷重を加える場合は、切り抜き具（１）の切断刃（２）を、固定部材（７）の上面に接合されている既設の防水シート（６）の上に、前記固定部材（７）の周りを取り囲むように載置し、前記切り抜き具（１）の天井部（４）を、例えば木製ハンマーで打ち叩くことによって矢印方向に衝撃荷重を加え、切断刃（２）の刃先（２ａ）を下方へ瞬間的に進行させ、前記防水シート（６）を環状に切り抜く。
【００１９】
この場合、前記防水シート（６）は、前記切断刃（２）の内側において、通常は固定部材（７）に強固に接合されているから、天井部（４）を前記ハンマーで叩くときに前記切断刃（２）がずれることはなく、鎖線で示すように容易に前記防水シート（６）にくい込み、一挙に切り抜かれる。
【００２０】
また、押圧荷重を加える場合は、切り抜き具（１）の切断刃（２）を、固定部材（７）の上面に接合されている既設の防水シート（６）の上に、前記固定部材（７）の周りを取り囲むように載置し、前記切り抜き具（１）の天井部（４）に作業者の足を載せ体重を掛けることによって矢印方向に押圧荷重を加え、切断刃（２）の刃先（２ａ）を下方へ進行させ、環状に切り抜く。
【００２１】
この場合、前記防水シート（６）は、前記の衝撃荷重を加える場合と同様に、前記切断刃（２）の内側において、通常は固定部材（７）に強固に接合されているから、天井部（４）に作業者の足を載せ体重を掛けるときに前記切断刃（２）がずれることはなく、鎖線で示すように容易に前記防水シート（６）にくい込み、一挙に切り抜かれる。
【００２２】
さらに、押圧荷重を加えながら回転させる場合は、切り抜き具（１）の切断刃（２）を、固定部材（７）の上面に接合されている既設の防水シート（６）の上に、前記固定部材（７）の周りを取り囲むように載置し、前記切り抜き具（１）の胴部（３）と天井部（４）を、例えば手で持って押し付け矢印方向に押圧荷重を加えながら切断刃（２）の刃先（２ａ）を回転させて、前記防水シート（６）を環状に切り抜く。
【００２３】
この場合、前記防水シート（６）は、前記切断刃（２）の刃先（２ａ）がその回転方向に沿って、鎖線で示すように前記防水シート（６）にくい込み、徐々にに下方へ進行して切り抜かれる。
【００２４】
このようにして、切断刃（２）の外側の防水シート（６）は、隣接する固定部材（７）の周りで順次切り抜かれ、剥離されて巻き取られながら回収される。切断刃（２）の内側の切り離された防水シート（６）は、前記固定部材（７）に接合されたまま残され、通常は前記固定部材（７）とともにそのまま放置されるか、または前記固定部材（７）とともに取り除かれたのち廃棄されることによって回収作業は完了する。
【００２５】
本発明において用いられる切り抜き具（１）は、その取り扱いを容易にするために、上記のような最も基本的な形態のものに種々の変形を加えることが可能である。例えば、図３（イ）に示すように、作業者が腰をかがめて作業を行わなくてもよいように天井部（４）に棒状の取っ手（１１）を取付け、立ったままの姿勢でその上端部（１２）にハンマー等で衝撃荷重を加えるようにしたもの、また図３（ロ）に示すように、天井部（４）に足を載せ体重を掛けたとき切り抜き具（１）が横転して怪我をすることのないように、胴部（３）の側面に取っ手（２１）を取付けたもの、さらに図３（ハ）に示すように、押圧荷重を加えながら切断刃（２）を回転し易いように天井部（４）に棒状の取っ手（３１）を取付け、その上端に回転用ハンドル（３２）を取付けたもの等に変形したものを用いることができる。本発明においては、切り抜き具（１）が環状のものであり、かつ衝撃荷重、押圧荷重、または押圧荷重と回転のいずれかによって操作されるものであれば、どのような構造、操作手段によるものであってもよい。
【００２６】
また、切り抜き具（１）の切断刃（２）は、衝撃荷重および押圧荷重によって切り抜くものでは円形環状のものに限定されないが、押圧荷重を加えながら回転させるものでは円形環状のものに限定されることはいうまでもない。この場合、外側がすくい面とされたものが固定部材（７）の周囲の防水シート（６）にくい込み易いので有利である。なおまた、押圧荷重を加えながら回転させるものでは、刃先が鋸刃状（図示省略）のものであってもよい。
【００２７】
本発明の防水シートの撤去方法によれば、従来のようにブレイドカッターによる切り抜きのような労力を要せず、また作業者が怪我をする心配もない。さらに、折れたブレイドカッターの刃が巻き取られて回収される防水シートに紛れ込むようなこともなく、安全に撤去作業を行える。しかも、切断は一定の形状にしかも瞬時にないしは短時間になされるから、防水シートの切れ端が散乱することもなく、作業は極めて短時間に完了し、作業効率を著しく高めることができる。
【００２８】
また、本発明の防水シートの撤去方法では、使用される撤去用の切り抜き具の構造が簡単かつ軽量のものであるから、余計な労力を要せず取り扱いが容易であり、劣化し硬化した既設防水シートの撤去作業を効率よく行うことができ、コスト的に有利である。
【００２９】
【実施例】
改修のための撤去対象となる既設防水シートは、コンクリート躯体に６００ｍｍ間隔で固着設置された、厚さ１．０ｍｍの熱可塑性樹脂被覆鋼板よりなる直径６５ｍｍの固定部材上面に接着剤により接合された厚さ１．５ｍｍの防水シートであって、長期使用により表面劣化し、硬化状態となっているものを撤去の対象とした。
【００３０】
また、撤去用切り抜き具として、図２に示すと同様の基本形態からなるものを用い、厚さ３ｍｍで、刃先に至るまでの長さ３５ｍｍの胴部と、膨出形状の最大厚さが１０ｍｍの天井部と、刃が外側にすくい面を持つ、刃先の直径が８５ｍｍの環状の切断刃とからなる撤去用の切り抜き具と木製のハンマーを用意した。
【００３１】
敷設されている上記既設防水シートを、上記切り抜き具とハンマーを用い、図２に示す態様で切り抜き操作をした結果、ハンマーで切り抜き具の天井部を１〜２回打ち叩くだけで、固定部材に接合した防水シートを切り抜くことができた。この方法に従って、５０箇所の接合部分を切り抜いた時間を測定したところ、５分であった。
【００３２】
因みに、従来のようにブレイドカッターを用いて同一状態の既設防水シートを、同数箇所切り抜いた結果、その切り抜きの時間は９分１０秒であった。しかも、その間にブレイドカッターの刃を５片折り捨てた。
【００３３】
【発明の効果】
以上のように、本発明の防水シートの撤去方法は、建築物の躯体表面に、ディスク状の固定部材を介して接合固定することにより敷設された既設の防水シートを撤去する方法において、下端に前記固定部材の外周より大きい環状の切断刃を有する切り抜き具を用い、各固定部材の周りで防水シートを環状に切り抜いたのち、この切り抜き部分を除いて防水シートを剥離除去するものであるから、既設防水シートの撤去用の切り抜き具の切断刃に直接手を触れることなく、しかも余計な労力を要せずその撤去作業を効率よく行うことができて、作業コストを著しく削減できるという効果がある。また、従来のようにブレイドカッターを手に持って切り抜く方法に比べてより安全であり、さらに切断刃が摩耗して回収する防水シートに混在するような問題もないという利点がある。
【００３４】
本発明の防水シートの撤去方法によれば、請求項２に記載したように、前記切り抜き具の切断刃を、シートを接合した固定部材の周りに前記防水シートの上から配置し、前記切断刃に上方から衝撃荷重を加えることにより、瞬時に前記防水シートを切り抜くことができ、切り抜き作業を効率よくできるという利点がある。
【００３５】
また、本発明の防水シートの撤去方法によれば、請求項３に記載のように、前記切り抜き具の切断刃を、シートを接合した固定部材の周りに前記防水シートの上から配置し、前記切断刃に上方から押圧荷重を加えることにより、比較的短時間に防水シートを切り抜くことができ、切り抜き作業が効率的に行えると共に、衝撃音の発生がないから作業環境を良くすることができるという利点がある。
【００３６】
さらに、本発明の防水シートの撤去方法によれば、請求項４に記載のように、前記切り抜き具の切断刃を、シートを接合した固定部材の周りに前記防水シートの上から配置し、前記切断刃に上方から押圧荷重を加えながら回転させることにより前記防水シートを切り抜くことができ、その切り抜き完了を作業者が感知することができて、前記切断刃の切り抜き深さを制御することが可能となり、防水シートの下の断熱層や躯体を傷付けることがなく、また刃先を損傷することもないという利点がある。
【図面の簡単な説明】
【図１】既設防水シートの敷設状況を示す部分斜視図である。
【図２】本発明の既設防水シートの撤去方法による、既設防水シートの撤去状態を示す部分断面図である。
【図３】本発明の既設防水シートの撤去方法に用いられる切り抜き具の形態を示し、図３（イ）〜（ハ）は、各種の形態例を示す部分断面図である。
【符号の説明】
１…撤去用切り抜き具
２…切断刃
２ａ…刃先
３…胴部
４…天井部
６…既設防水シート
７…固定部材
８…取付具
９…躯体
１０…断熱層
【図１】
0004162816.tif 000002
【図２】
0004162816.tif 000003
【図３】
0004162816.tif 000004